(57)【特許請求の範囲】
【請求項１】
ｎ個（ｎは２以上の整数）の第１ゲート配線が形成された第１表示領域及び該第１表示領域を囲む第１周辺領域で構成された第１表示パネルと、
前記第１周辺領域に形成され、第１クロック信号及び第２クロック信号に応答して第１ゲート信号を前記第１ゲート配線に出力する第１ゲート駆動部と、
前記第１表示パネルと電気的に連結され、ｉ個（ｉは２以上の整数）の第２ゲート配線が形成された第２表示領域及び該第２表示領域を囲む第２周辺領域で構成された第２表示パネルと、
前記第２周辺領域に形成され、前記第１クロック信号及び第２クロック信号に応答して第２ゲート信号を前記第２ゲート配線に出力する第２ゲート駆動部と、
前記第１クロック信号及び第２クロック信号を出力する駆動部と、を含み、
前記駆動部は、前記第１ゲート駆動部に第１垂直開始信号を出力して該第１ゲート駆動部の動作を開始させ、ｎ×１Ｈ（ｎは２以上の整数、Ｈは水平走査区間）時間である第１所定時間の後、前記第２ゲート駆動部に第２垂直開始信号を出力して該第２ゲート駆動部の動作を開始させ、前記第２垂直開始信号のパルス幅に対応して前記第１及び第２クロック信号を遅延して出力し、ｉ×１Ｈ（ｉは２以上の整数、Ｈは水平走査区間）時間である第２所定時間の後、前記第２ゲート駆動部に第３垂直開始信号を出力して該第２ゲート駆動部の動作を停止させることを特徴とする表示装置。
【請求項２】
前記第１周辺領域は、前記第１及び第２クロック信号を伝達する第１信号配線部を含み、
前記第２周辺領域は、前記第１信号配線部と電気的に連結された第２信号配線部を含むことを特徴とする請求項１記載の表示装置。
【請求項３】
前記第１表示パネルと第２表示パネルとを電気的に連結する可撓性回路基板を更に含み、
前記可撓性回路基板には、前記第１及び第２信号配線部を連結する連結配線部が形成されることを特徴とする請求項２記載の表示装置。
【請求項４】
前記第１及び第２ゲート駆動部のそれぞれは、相互に縦続的に連結された複数のステージで構成され、
前記第１及び第２垂直開始信号は、前記第１及び第２ゲート駆動部のそれぞれの一番目のステージに入力されることを特徴とする請求項１記載の表示装置。
【請求項５】
前記第１及び第２ゲート駆動部のそれぞれは、相互に縦続的に連結された複数のステージで構成され、
前記第１垂直開始信号は、前記第１ゲート駆動部の一番目のステージに入力され、前記第２垂直開始信号は、前記第１ゲート駆動部の最後のステージ及び前記第２ゲート駆動部の一番目のステージに入力され、前記第３垂直開始信号は、前記第２ゲート駆動部の最後のステージに入力されることを特徴とする請求項１記載の表示装置。
【請求項６】
前記第２垂直開始信号のパルス幅は、ミドルポーチ区間に対応することを特徴とする請求項１記載の表示装置。
【請求項７】
前記駆動部は、バックポーチ区間に前記第１垂直開始信号を出力し、フロントポーチ区間に前記第３垂直開始信号を出力することを特徴とする請求項１記載の表示装置。
【発明の詳細な説明】
【技術分野】
【０００１】
本発明は、表示装置に関し、より詳細には、第１表示パネルと第２表示パネルの駆動信号を共有するための表示装置に関する。
【背景技術】
【０００２】
一般的に、中小型液晶表示装置は、液晶表示パネルの数によって一般的なフォルダー型とデュアルフォルダー型に分けることができる。デュアルフォルダー型は、メイン画像を表示するメイン液晶表示パネルと、付加画像を表示するサブ液晶表示パネルとを有する。付加画像は、例えば、時間、日付、及び受信感度などの付加情報である。
【０００３】
液晶表示装置は、メイン液晶表示パネルを駆動するためのメイン駆動信号を提供し、サブ液晶表示パネルを駆動するためのサブ駆動信号を提供する。
【０００４】
このために、メイン液晶表示パネルには、メイン駆動信号を伝達するメイン信号配線が形成され、また、サブ液晶表示パネルにサブ駆動信号を伝達するためのサブ信号配線が別途に形成される。メイン液晶表示パネルは、画像を表示する表示領域とメイン信号配線とサブ信号配線が形成される周辺領域を含む。メイン信号配線とサブ信号配線は、メイン液晶表示パネルの周辺領域に形成される。したがって、メイン液晶表示パネルの周辺領域は、サブ信号配線を付加的に含んでいるので、中小型液晶表示装置は、ナローベゼルの具現が困難という問題点がある。
【発明の開示】
【発明が解決しようとする課題】
【０００５】
そこで、本発明は、上記従来の液晶表示パネルの問題点に鑑みてなされたものであって、本発明の目的は、第１表示パネル（メイン液晶表示パネル）と第２表示パネル（サブ液晶表示パネル）の駆動信号を共有するための表示装置を提供することにある。
【課題を解決するための手段】
【０００６】
上記目的を達成するためになされた本発明の一態様による表示装置は、第１ゲート配線が形成された第１表示領域及び該第１表示領域を囲む第１周辺領域で構成された第１表示パネルと、前記第１周辺領域に形成され、第１クロック信号及び第２クロック信号に応答して第１ゲート信号を前記第１ゲート配線に出力する第１ゲート駆動部と、前記第１表示パネルと電気的に連結され、第２ゲート配線が形成された第２表示領域及び該第２表示領域を囲む第２周辺領域で構成された第２表示パネルと、前記第２周辺領域に形成され、前記第１クロック信号及び第２クロック信号に応答して第２ゲート信号を前記第２ゲート配線に出力する第２ゲート駆動部と、前記第１クロック信号及び第２クロック信号を出力する駆動部と、を含み、前記駆動部は、前記第１ゲート駆動部に第１垂直開始信号を出力し、第１所定時間の後、前記第２ゲート駆動部に第２垂直開始信号を出力することを特徴とする。
【０００７】
前記第１周辺領域は、前記第１及び第２クロック信号を伝達する第１信号配線部を含み、前記第２周辺領域は、前記第１信号配線部と電気的に連結された第２信号配線部を含むことが好ましい。
前記第１表示パネルと第２表示パネルとを電気的に連結する可撓性回路基板を更に含み、前記可撓性回路基板には、前記第１及び第２信号配線部を連結する連結配線部が形成されることが好ましい。
前記第１及び第２ゲート駆動部のそれぞれは、相互に縦続的に連結された複数のステージで構成され、前記第１及び第２垂直開始信号は、前記第１及び第２ゲート駆動部のそれぞれの一番目のステージに入力されることが好ましい。
前記駆動部は、第２所定時間の後、前記第２ゲート駆動部に第３垂直開始信号を出力することが好ましい。
前記第１及び第２ゲート駆動部のそれぞれは、相互に縦続的に連結された複数のステージで構成され、前記第１垂直開始信号は、前記第１ゲート駆動部の一番目のステージに入力され、前記第２垂直開始信号は、前記第１ゲート駆動部の最後のステージ及び前記第２ゲート駆動部の一番目のステージに入力され、前記第３垂直開始信号は、前記第２ゲート駆動部の最後のステージに入力されることが好ましい。
前記駆動部は、前記第２垂直開始信号のパルス幅に対応して前記第１及び第２クロック信号を遅延して出力することが好ましい。
前記第２垂直開始信号のパルス幅は、ミドルポーチ区間に対応することが好ましい。
前記駆動部は、バックポーチ区間に前記第１垂直開始信号を出力し、フロントポーチ区間に前記第３垂直開始信号を出力することが好ましい。
【発明の効果】
【０００８】
このような表示装置によれば、第１及び第２ゲート駆動部が第１クロック信号及び第２クロック信号を共有することで信号数及び信号配線数を減少させることができる。
即ち、第１表示パネルと第２表示パネルを具備する表示装置において、第２表示パネルのゲート駆動部に提供されるクロック信号を第１表示パネルのゲート駆動  部に提供されるクロック信号と共有することで信号数及び信号配線数を減少させることができる。
これによって、第１表示パネルの周辺領域を狭く形成可能にして表示装置のナローベゼルを容易に具現することができる。
【発明を実施するための最良の形態】
【０００９】
以下、本発明の表示装置を実施するための最良の形態の具体例を、添付する図面を参照しながらより詳細に説明する。
図１は、本発明の第１実施例による表示装置の平面図である。
図１を参照すると、表示装置は、メイン画像を表示する第１表示パネル１００と、外部機器と第１表示パネル１００とを電気的に連結する第１可撓性回路基板１５０と、サブ画像を表示する第２表示パネル２００と、第１表示パネル１００と第２表示パネル２００とを電気的に連結する第２可撓性回路基板２５０を含む。
【００１０】
第１表示パネル１００は、第１アレイ基板（図示せず）、第１カラーフィルタ基板（図示せず）、駆動部１２０、及び第１ゲート駆動部１４０を含む。第１表示パネル１００は、画像が表示される第１表示領域（ＤＡ１）と第１表示領域（ＤＡ１）を囲む第１乃至第４の周辺領域（ＰＡ１１〜ＰＡ１４）で構成される。第１表示領域（ＤＡ１）には、ｎ個のゲート配線（ＧＬ１−１〜ＧＬ１−ｎ）及びゲート配線（ＧＬ１−１〜ＧＬ１−ｎ）と交差するｍ個のソース配線（ＤＬ１−１〜ＤＬ１−ｍ）が形成される。ここで、ｎ及びｍは２以上の整数である。
【００１１】
駆動部１２０は、第１の周辺領域（ＰＡ１１）に実装される単一チップであって、第１可撓性回路基板１５０を通じて外部機器からデータ信号と制御信号が入力される。駆動部１２０は、第１表示パネル１００と第２表示パネル２００を駆動する駆動信号を出力する。駆動信号は、データ信号、第１ゲート制御信号、第２ゲート制御信号、共有制御信号、及びゲート電圧を含む。
【００１２】
第１ゲート駆動部１４０は、第３の周辺領域（ＰＡ１３）に集積される集積回路であって、相互に縦続的に連結された（ｃａｓｃａｄｅ−ｃｏｎｎｅｃｔｅｄ）複数のステージを含む。第１ゲート駆動部１４０は、駆動部１２０から提供される第１ゲート制御信号、共有制御信号、及びゲート電圧に基づいてゲート配線（ＧＬ１−１〜ＧＬ１−ｎ）にゲート信号を出力する。
【００１３】
第１ゲート制御信号は、第１表示パネル１００の駆動方式によって第１垂直開始信号（ＳＴＶ１）及び第２垂直開始信号（ＳＴＶ２）を含む。例えば、第１表示パネル１００が一方向走査により画像を表示する場合、第１ゲート制御信号は、第１ゲート駆動部１４０の一番目のステージに入力される第１垂直開始信号（ＳＴＶ１）である。第１表示パネル１００が両方向走査により画像を表示する場合、第１ゲート制御信号は、第１ゲート駆動部１４０の一番目及び最後のステージにそれぞれ入力される第１垂直開始信号（ＳＴＶ１）及び第２垂直開始信号（ＳＴＶ２）を含む。
【００１４】
共有制御信号は、第１クロック信号（ＣＫ）、第２クロック信号（ＣＫＢ）であって、第１ゲート駆動部（１４０）及び第２ゲート駆動部（２４０）に印加される。共通制御信号は、第１表示パネル（１００）の第３の周辺領域（ＰＡ１３）及び第２表示パネル（２００）の第２の周辺領域（ＰＡ２２）に形成された第１及び第２信号配線部（ＳＬ１、ＳＬ２）を通じて第１及び第２ゲート駆動部（１４０、２４０）に印加される。第１及び第２信号配線部（ＳＬ１、ＳＬ２）のそれぞれは、第１クロック信号（ＣＫ）が伝達される第１信号配線、第２クロック信号（ＣＫＢ）が伝達される第２信号配線を含む。
【００１５】
ゲート電圧（ＶＧ）は、第１及び第２ゲート駆動部（１４０、２４０）の回路特性によってハイ電圧（ＶＧＨ）及びロー電圧（ＶＧＬ）を含む。
第２表示パネル２００は、第２アレイ基板（図示せず）、第２カラーフィルタ基板（図示せず）、及び第２ゲート駆動部２４０を含む。第２表示パネル２００は、画像が表示される第２表示領域（ＤＡ２）と第２表示領域（ＤＡ２）の周辺に形成された第１及び第２の周辺領域（ＰＡ２１、ＰＡ２２）で構成される。第２表示領域（ＤＡ２）にはｉ個のゲート配線（ＧＬ２−１〜ＧＬ２−ｉ）及びゲート配線（ＧＬ２−１〜ＧＬ２−ｉ）と交差するｊ個のソース配線（ＤＬ２−１〜ＤＬ２−ｊ）が形成される。ここで、ｉ及びｊは、２以上の自然数である。ｊは、ｍより小さいかあるいは等しい数である。
【００１６】
第２ゲート駆動部２４０は、第２の周辺領域（ＰＡ２２）に集積される集積回路であって、互いに縦続的に連結された複数のステージを含む。駆動部１２０から提供される第２ゲート制御信号（第３及び第４垂直開始信号ＳＴＶ３、ＳＴＶ４）、共有制御信号（第１及び第２クロック信号ＣＫ、ＣＫＢ）、及びゲート電圧（ＶＧ）に基づいてゲート配線（ＧＬ２−１〜ＧＬ２−ｉ）にゲート信号を出力する。
【００１７】
第２ゲート制御信号は、第１表示パネル１００の駆動方式によって異なる。例えば、第１表示パネル１００が一方向走査により画像を表示する場合、第２ゲート制御信号は、第２ゲート駆動部２４０の一番目のステージに入力される第３垂直開始信号（ＳＴＶ３）である。第１表示パネル１００が両方向走査により画像を表示する場合、第２ゲート制御信号は第２ゲート駆動部２４０の一番目及び最後のステージにそれぞれ入力される第３垂直開始信号（ＳＴＶ３）及び第４垂直開始信号（ＳＴＶ４）を含む。
【００１８】
第２可撓性回路基板２５０は、第１表示パネル１００と第２表示パネル２００とを電気的に連結する。第２可撓性回路基板２５０の一端部は、第１表示パネル１００の第４の周辺領域（ＰＡ１４）に電気的に接続され、他の端部は、第２表示パネル２００の第１の周辺領域（ＰＡ２１）に電気的に接続される。
【００１９】
第２可撓性回路基板２５０は、ｊ個の第１連結配線部（ＣＬ１−１〜ＣＬ１−ｊ）が形成され、第１連結配線部（ＣＬ１−１〜ＣＬ１−ｊ）は、第１表示パネル１００のｊ個のソース配線（ＤＬ１−１〜ＤＬ１−ｊ）と第２表示パネル２００のｊ個のソース配線（ＤＬ２−１〜ＤＬ２−ｊ）を電気的に連結する。
【００２０】
なお、第２可撓性回路基板２５０には、第１表示パネル１００に形成された第１信号配線部（ＳＬ１）と第２表示パネル２００に形成された第２信号配線部（ＳＬ２）を連結する第２連結配線部（ＣＬ２）が形成される。第１及び第２信号配線部（ＳＬ１、ＳＬ２）は、共有制御信号（第１及び第２クロック信号ＣＫ、ＣＫＢ）を伝達する。
【００２１】
図示していないが、第１表示パネル１００には、第１ゲート制御信号及びゲート電圧が伝達される配線が形成され、第１表示パネル１００、第２可撓性回路基板２５０、及び第２表示パネル２００には、第２ゲート制御信号及びゲート電圧が伝達される配線が形成される。
【００２２】
図２は、図１の駆動部についての詳細なブロック図である。
図１及び図２を参照して説明すると、駆動部１２０は、制御部１２１、メモリ１２３、電圧発生部１２５、ゲート制御部１２７、及びソース駆動部１２９を含む。
制御部１２１は、外部からデータ信号（ＤＡＴＡ）と制御信号（ＣＯＮＴＬ）の入力を受ける。制御信号（ＣＯＮＴＬ）は、水平同期信号、メインクロック信号、データイネーブル信号などを含む。
【００２３】
制御部１２１は、制御信号（ＣＯＮＴＬ）に基づいてデータ信号（ＤＡＴＡ）をメモリ１２３に保存する。制御部１２１は、ゲート制御部１２７に第１制御信号１２１ａ、即ち、第１ゲート制御信号（第１及び第２垂直開始信号ＳＴＶ１、ＳＴＶ２）、第２ゲート制御信号（第３及び第４垂直開始信号ＳＴＶ３、ＳＴＶ４）、及び共有制御信号（第１及び第２クロック信号ＣＫ、ＣＫＢ）を出力する。制御部１２１は、ソース駆動部１２９に第２制御信号１２１ｂ、即ち、水平開始信号、ロード信号、反転信号などのソース制御信号を出力し、メモリ１２３に保存されたデータ信号（ＤＡＴＡ）を読んで出力する。制御部１２１は、電圧発生部１２５に第３制御信号１２１ｃ、即ち、メインクロック信号、反転信号などを出力する。
【００２４】
電圧発生部１２５は、外部から印加された外部電源を用いて駆動電圧を生成する。駆動電圧は、ゲート電圧（ＶＧ）１２５ａ、ガンマ基準電圧（ＶＲＥＦ）１２５ｂ、共通電圧（ＶＣＯＭ）１２５ｃなどを含む。ゲート電圧（ＶＧ）１２５ａは、ゲート制御部１２７に印加され、ガンマ基準電圧（ＶＲＥＦ）１２５ｂは、ソース駆動部１２９に印加され、共通電圧（ＶＣＯＭ）１２５ｃは、第１及び第２表示パネル（１００、２００）にそれぞれ印加される。
【００２５】
ゲート制御部１２７は、第１ゲート制御信号、第２ゲート制御信号、共有制御信号、及びゲート電圧を第１及び第２ゲート駆動部（１４０、２４０）にそれぞれ出力する。
【００２６】
ソース駆動部１２９は、ガンマ基準電圧（ＶＲＥＦ）に基づいてメモリ１２３から読み出されたデータ信号（ＤＡＴＡ）をアナログ形態のデータ電圧（Ｄ１−１、…、Ｄ１−ｊ、…、Ｄ１−ｍ）に変換して出力する。即ち、第１表示パネル１００に対応する第１データ電圧は、ｍ個のソース配線（Ｄ１−１、…、Ｄ１−ｍ）に出力され、第２表示パネル２００に対応する第２データ電圧は、ｊ個のソース配線（Ｄ２−１、…、Ｄ２−ｊ）に出力される。
【００２７】
図３は、本発明の第１実施例による第１及び第２ゲート駆動部に対するブロック図である。
図１乃至図３を参照して説明すると、第１ゲート駆動部１４０は、順方向にゲート信号（Ｇ１＿１、…、Ｇ１＿ｎ）を順次に出力する動作モードを有する。
【００２８】
第１ゲート駆動部１４０は、ｎ個のゲート配線（ＧＬ１−１、…、ＧＬ１−ｎ）に対応するｎ個のステージ（ＳＣ１＿１〜ＳＣ１＿ｎ）及び一つのダミーステージ（ＳＣ１＿ｄ）で構成され、複数のステージ（ＳＣ１＿１〜ＳＣ１＿ｄ）は縦続的に連結される。
各ステージは、第１入力端子（ＩＮ１）、出力端子（ＯＵＴ）、第２入力端子（ＩＮ２）、第１クロック端子（ＣＫ１）、第２クロック端子（ＣＫ２）、及び電源端子（ＶＧ）を含む。一番目のステージ（ＳＣ１＿１）の第１入力端子（ＩＮ１）には、第１ゲート駆動部１４０の動作を開始する第１ゲート制御信号である第１垂直開始信号（ＳＴＶ１）が入力される。一番目のステージを除いた残りのステージの第１入力端子（ＩＮ１）には、前ステージの出力信号が入力され、第２入力端子（ＩＮ２）には、後ステージの出力信号が入力される。各ステージの出力端子（ＯＵＴ）は、ゲート配線（ＧＬ１−１〜ＧＬ１−ｎ）に連結される。
【００２９】
各ステージ（ＳＣ１＿１〜ＳＣ１＿ｎ）の第１及び第２クロック端子（ＣＫ１、ＣＫ２）には、第１及び第２クロック信号（ＣＫ、ＣＫＢ）がそれぞれ入力される。第１クロック信号（ＣＫ）と第２クロック信号（ＣＫＢ）は相互に反対する位相を有する。具体的に、奇数番目のステージは、第１クロック端子（ＣＫ１）に入力された第１クロック信号（ＣＫ）に応答してゲート信号を出力し、偶数番目のステージは、第２クロック端子（ＣＫ２）に入力された第２クロック信号（ＣＫＢ）に応答してゲート信号を出力する。
【００３０】
第２ゲート駆動部２４０は、ｉ個のゲート配線（ＧＬ２−１、…、ＧＬ２−ｉ）に対応するｉ個のステージ（ＳＣ２＿１〜ＳＣ２＿ｉ）及び一つのダミーステージ（ＳＣ２＿ｄ）で構成され、複数のステージ（ＳＣ２＿１〜ＳＣ２＿ｄ）は縦続的に連結される。
【００３１】
各ステージ（ＳＣ２＿１〜ＳＣ２＿ｄ）は、第１入力端子（ＩＮ１）、出力端子（ＯＵＴ）、第２入力端子（ＩＮ２）、第１クロック端子（ＣＫ１）、第２クロック端子（ＣＫ２）、及び電源端子（ＶＧ）を含む。一番目のステージ（ＳＣ２＿１）の第１入力端子（ＩＮ１）には、第２ゲート駆動部２４０の動作を開始する第２ゲート制御信号である第３垂直開始信号（ＳＴＶ３）が入力され、残りのステージの第１入力端子（ＩＮ１）には前ステージの出力信号が入力され、第２入力端子（ＩＮ２）には後ステージの出力信号が入力される。
【００３２】
各ステージ（ＳＣ２＿１〜ＳＣ２＿ｄ）の第１及び第２クロック端子（ＣＫ１、ＣＫ２）には、第１ゲート駆動部１４０に印加された第１及び第２クロック信号（ＣＫ、ＣＫＢ）がそれぞれ入力される。
【００３３】
図４は、本発明の第２実施例による第１及び第２ゲート駆動部に対するブロック図である。
図２及び図４を参照して説明すると、第１ゲート駆動部１４０は、駆動部１２０の制御によって順方向にゲート信号（Ｇ１＿１、…、Ｇ１＿ｎ）を順次出力するか、あるいは逆方向にゲート信号（Ｇ１＿ｎ、…、Ｇ１＿１）を順次出力する両方向動作モードを有する。
【００３４】
具体的に、第１ゲート駆動部１４０は、相互に縦続的に連結されたｎ個のゲート配線に対応するｎ個のステージ（ＳＣ１＿１〜ＳＣ１＿ｎ）で構成される。各ステージは、第１入力端子（ＩＮ１）、出力端子（ＯＵＴ）、第２入力端子（ＩＮ２）、第１クロック端子（ＣＫ１）、第２クロック端子（ＣＫ２）、及び電源端子（ＶＧ）を含む。
【００３５】
第１ゲート駆動部１４０には、第１ゲート制御信号である第１及び第２垂直開始信号（ＳＴＶ１、ＳＴＶ２）が入力される。第２垂直開始信号（ＳＴＶ２）は、第１垂直開始信号（ＳＴＶ１）よりｎ×１Ｈ（Ｈは水平区間）遅延された信号である。
【００３６】
例えば、第１ゲート駆動部１４０が順方向動作モードである場合、第１垂直開始信号（ＳＴＶ１）は、一番目のステージ（ＳＣ１−１）の第１入力端子（ＩＮ１）に入力され、第２垂直開始信号（ＳＴＶ２）は最後のステージ（ＳＣ１＿ｎ）の第２入力端子（ＩＮ２）にそれぞれ入力される。
【００３７】
反面、第１ゲート駆動部１４０が逆方向動作モードである場合、第１垂直開始信号（ＳＴＶ１）は、最後のステージの第２入力端子（ＩＮ２）に入力され、第２垂直開始信号（ＳＴＶ２）は、一番目のステージの第１入力端子（ＩＮ１）に入力される。
【００３８】
一方、一番目及び最後のステージを除いたステージは、第１入力端子（ＩＮ１）には、前ステージの出力信号が入力され、第２入力端子（ＩＮ２）には後ステージの出力信号が入力される。
【００３９】
複数のステージ（ＳＣ１＿１〜ＳＣ１＿ｎ）の第１及び第２クロック端子（ＣＫ１、ＣＫ２）には第１及び第２クロック信号（ＣＫ、ＣＫＢ）がそれぞれ入力される。
第２ゲート駆動部２４０は、相互に縦続的に連結されたｉ個のゲート配線に対応するｉ個のステージ（ＳＣ２−１〜ＳＣ２＿ｉ）で構成される。各ステージは、第１入力端子（ＩＮ１）、出力端子（ＯＵＴ）、第２入力端子（ＩＮ２）、第１クロック端子（ＣＫ１）、第２クロック端子（ＣＫ２）、及び電源端子（ＶＧ）を含む。
【００４０】
第２ゲート駆動部２４０は、第２ゲート制御信号である第３及び第４垂直開始信号（ＳＴＶ３、ＳＴＶ４）が入力される。第４垂直開始信号（ＳＴＶ４）は、第３垂直開始信号（ＳＴＶ３）よりｉ×１Ｈ（Ｈは水平区間）遅延された信号である。第３垂直開始信号（ＳＴＶ３）は、一番目のステージ（ＳＣ２＿１）の第１入力端子（ＩＮ１）に入力され、第４垂直開始信号（ＳＴＶ４）は、最後のステージ（ＳＣ２＿ｉ）の第２入力端子（ＩＮ２）に入力される。
【００４１】
望ましくは図示したように、第２垂直開始信号（ＳＴＶ２）と第３垂直開始信号（ＳＴＶ３）は、同一の信号で具現する。例えば、第２垂直開始信号（ＳＴＶ２）と第３垂直開始信号（ＳＴＶ３）が同一の信号である場合、第１ゲート駆動部１４０の最後のステージと第２ゲート駆動部２４０の一番目のステージに同一の垂直開始信号、例えば、第２垂直開始信号（ＳＴＶ２）（または第３垂直開始信号（ＳＴＶ３））を入力する。これによって、第１ゲート駆動部１４０の最後のゲート信号が出力されると同時に第２ゲート駆動部２４０は動作を開始する。
【００４２】
勿論、第３垂直開始信号（ＳＴＶ３）は、第２垂直開始信号（ＳＴＶ２）より所定時間に遅延された信号で具現して第１ゲート駆動部１４０の最後のステージと第２ゲート駆動部２４０の一番目のステージにそれぞれ入力することもできる。
各ステージ（ＳＣ２＿１〜ＳＣ２＿ｉ）の第１及び第２クロック端子（ＣＫ１、ＣＫ２）には、第１ゲート駆動部１４０に入力された第１及び第２クロック信号（ＣＫ、ＣＫＢ）が入力される。
【００４３】
図５は、本発明の第１実施例による第１及び第２ゲート駆動部の駆動方式を説明するためのタイミング図である。
図２、図４、及び図５を参照して説明すると、ゲート制御部１２７は、共有制御信号（第１及び第２クロック信号ＣＫ、ＣＫＢ）及びゲート電圧（ＶＧ）を第１及び第２ゲート駆動部（１４０、２４０）に出力し、バックポーチ（Ｂａｃｋ  Ｐｏｒｃｈ）、ミドルポーチ（Ｍｉｄｄｌｅ  Ｐｏｒｃｈ）、及びフロントポーチ（Ｆｒｏｎｔ  Ｐｏｒｃｈ）区間には、第１及び第２ゲート制御信号を第１及び第２ゲート駆動部（１４０、２４０）に出力する。
【００４４】
具体的に、ゲート制御部１２７は、バックポーチ区間（ＢＰ）で第１ゲート駆動部１４０に第１垂直開始信号（ＳＴＶ１）を出力する。第１ゲート駆動部１４０は、第１垂直開始信号（ＳＴＶ１）が入力されることによって動作を開始して第１表示パネル１００のゲート配線（ＧＬ１−１、…、ＧＬ１−ｎ）にゲート信号（Ｇ１＿１、…、Ｇ１＿ｎ）を順次出力する。
【００４５】
その後、ゲート制御部１２７は、ミドルポーチ区間（ＭＰ）で第２垂直開始信号（ＳＴＶ２）を第１及び第２ゲート駆動部（１４０、２４０）に出力する。ここで、ゲート制御部１２７は、第２垂直開始信号（ＳＴＶ２）のパルス幅（またはＭＰ）だけ第１及び第２クロック信号（ＣＫ、ＣＫＢ）を遅延して出力する。第２垂直開始信号（ＳＴＶ２）のパルス幅（またはＭＰ）はｋ×１Ｈ区間で多様に設定することができる。ここで、ｋは１以上の整数である。
【００４６】
これによって、第１ゲート駆動部１４０は、第２垂直開始信号（ＳＴＶ２）に応答して駆動を停止し、第２ゲート駆動部２４０は、第２垂直開始信号（ＳＴＶ２）に応答して駆動を開始する。第２ゲート駆動部２４０は、第２表示パネル２００のゲート配線（ＧＬ２−１、…、ＧＬ２−ｉ）にゲート信号（Ｇ２＿１、…、Ｇ２＿ｉ）を順次出力する。
【００４７】
その後、ゲート制御部１２７は、フロントポーチ区間（ＦＰ）で第４垂直開始信号（ＳＴＶ４）を第２ゲート駆動部２４０に出力し、これによって第２ゲート駆動部２４０は、第４垂直開始信号（ＳＴＶ４）に応答して動作を停止する。
【００４８】
このように、第１及び第２ゲート駆動部（１４０、２４０）は、第１及び第２クロック信号（ＣＫ、ＣＫＢ）を共有して駆動する。これによって第１表示パネル１００の周辺領域に形成される信号配線の個数が減少して表示装置のナローベゼルの具現を容易にする。
【００４９】
図６は、本発明の第２実施例による第１及び第２ゲート駆動部の駆動方式を説明するためのタイミング図である。
図６に示す実施例では、第２ゲート駆動部２４０を駆動させ、その後、第１ゲート駆動部１４０を駆動させる。
【００５０】
具体的に、ゲート制御部１２７はバックポーチ区間（ＢＰ）で第２ゲート駆動部２４０に第４垂直開始信号（ＳＴＶ４）を出力する。第２ゲート駆動部２４０は、第４垂直開始信号（ＳＴＶ４）が入力されることによってゲート信号（Ｇ２＿１、…、Ｇ２＿ｉ）を順次出力する。
【００５１】
その後、ゲート制御部１２７は、ミドルポーチ区間（ＭＰ）で第２垂直開始信号（ＳＴＶ２）を第１及び第２ゲート駆動部（１４０、２４０）に出力する。ここで、ゲート制御部１２７は、第２垂直開始信号（ＳＴＶ２）のパルス幅（またはＭＰ）だけ第１及び第２クロック信号（ＣＫ、ＣＫＢ）を遅延して出力する。
【００５２】
これによって、第２ゲート駆動部２４０は、第２垂直開始信号（ＳＴＶ２）に応答して駆動を停止し、第１ゲート駆動部１４０は、第２垂直開始信号（ＳＴＶ２）に応答して駆動を開始する。第１ゲート駆動部１４０は、ゲート信号（Ｇ１＿１、…、Ｇ１＿ｎ）を順次出力する。
【００５３】
その後、ゲート制御部１２７は、フロントポーチ区間（ＦＰ）で第１垂直開始信号（ＳＴＶ１）を第１ゲート駆動部１４０に出力し、これによって第１ゲート駆動部１４０は動作を停止する。
【００５４】
図７は、本発明の第２実施例による表示装置の平面図である。
図７を参照すると、表示装置は、第１表示パネル４００と、外部機器と第１表示パネル４００を電気的に連結する第１可撓性回路基板４５０と、第２表示パネル５００と第１表示パネル４００と第２表示パネル５００を電気的に連結する第２可撓性回路基板５５０を含む。
【００５５】
第１表示パネル４００は、第１表示領域（ＤＡ１）と、第１表示領域（ＤＡ１）を囲む第１及び第２の周辺領域（第１周辺領域）（ＰＡ１１、ＰＡ１２）で構成される。第１表示領域（ＤＡ１）にはｎ個のゲート配線（ＧＬ１−１〜ＧＬ１−ｎ）及びゲート配線（ＧＬ１−１〜ＧＬ１−ｎ）と交差するｍ個のソース配線（ＤＬ１−１〜ＤＬ１−ｍ）が形成される。
【００５６】
第１の周辺領域（ＰＡ１１）には、第１ゲート駆動部４２０が集積され、第１ゲート駆動部４２０に第１及び第２クロック信号（ＣＫ１、ＣＫＢ１）を伝達する第１信号配線部（ＳＬ１）が形成される。第１の周辺領域（ＰＡ１１）と第１表示領域（ＤＡ１）を挟んで向い合う第２の周辺領域（ＰＡ１２）には、第２ゲート駆動部４４０が集積され、第３及び第４クロック信号（ＣＫ２、ＣＫＢ２）を伝達する第２信号配線部（ＳＬ２）が形成される。第１ゲート駆動部４２０は奇数番目のゲート配線にゲート信号を出力し、第２ゲート駆動部４４０は、偶数番目のゲート配線にゲート信号を出力する。
【００５７】
第２表示パネル５００は、第２表示領域（ＤＡ２）と、第２表示領域（ＤＡ２）を囲む第１及び第２の周辺領域（第２周辺領域）（ＰＡ２１、ＰＡ２２）で構成される。第２表示領域（ＤＡ２）にはｉ個のゲート配線（ＧＬ２−１〜ＧＬ２−ｉ）及びゲート配線（ＧＬ２−１〜ＧＬ２−ｉ）と交差するｊ個のソース配線（ＤＬ２−１〜ＤＬ２−ｊ）が形成される。
【００５８】
第１の周辺領域（ＰＡ２１）には、第３ゲート駆動部５２０が集積され、第３ゲート駆動部５２０に第１及び第２クロック信号（ＣＫ１、ＣＫＢ１）を伝達する第３信号配線部（ＳＬ３）が形成される。第１の周辺領域（ＰＡ２１）と第２表示領域（ＤＡ２）を挟んで向い合う第２の周辺領域（ＰＡ２２）には第４ゲート駆動部５４０が集積され、第３及び第４クロック信号（ＣＫ２、ＣＫＢ２）を伝達する第４信号配線部（ＳＬ４）が形成される。第３ゲート駆動部５２０は、奇数番目のゲート配線にゲート信号を出力し、第４ゲート駆動部５４０は偶数番目のゲート配線にゲート信号を出力する。
【００５９】
第２可撓性回路基板５５０にはｊ個の第１連結配線部（ＣＬ１−１〜ＣＬ１−ｊ）が形成され、第１連結配線部（ＣＬ１−１〜ＣＬ１−ｊ）は、第１表示パネル４００のｊ個のソース配線（ＤＬ１−１〜ＤＬ１−ｊ）と第２表示パネル５００のｊ個のソース配線（ＤＬ２−１〜ＤＬ２−ｊ）を電気的に連結する。
【００６０】
また、第２可撓性回路基板５５０には、第２連結配線部（ＣＬ２）及び第３連結配線部（ＣＬ３）が形成される。第２連結配線部（ＣＬ２）は、第１表示パネル４００に形成された第１信号配線部（ＳＬ１）と第２表示パネル５００に形成された第３信号配線部（ＳＬ３）を連結する。第３連結配線部（ＣＬ３）は、第１表示パネル４００に形成された第２信号配線部（ＳＬ２）と第２表示パネル５００に形成された第４信号配線部（ＳＬ４）を連結する。
【００６１】
上述のように、第３ゲート駆動部５２０に提供される第１及び第２クロック信号（ＣＫ１、ＣＫＢ１）を第１ゲート駆動部４２０と共有し、第４ゲート駆動部５４０に提供される第３及び第４クロック信号（ＣＫ２、ＣＫＢ２）を第２ゲート駆動部４４０と共有する。これによって、第１表示パネル４００の第１及び第２の周辺領域（ＰＡ１１、ＰＡ１２）に形成される信号配線の個数を減少して表示装置のナローベゼルの具現を容易にする。
【００６２】
第１及び第３ゲート駆動部（４２０、５２０）の構成及び動作は、図３乃至図６で説明した第１及び第２ゲート駆動部（１４０、２４０）と同一であるので、詳細な説明は省略する。また、第２及び第４ゲート駆動部（４４０、５４０）の構成及び動作もまた図３乃至図６で説明した第１及び第２ゲート駆動部（１４０、２４０）と同一であるので、詳細な説明は省略する。
【００６３】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００６４】
【図１】本発明の第１実施例による表示装置の平面図である。
【図２】図１の駆動部についての詳細なブロック図である。
【図３】本発明の第１実施例による第１及び第２ゲート駆動部に対するブロック図である。
【図４】本発明の第２実施例による第１及び第２ゲート駆動部に対するブロック図である。
【図５】本発明の第１実施例による第１及び第２ゲート駆動部の駆動方式を説明するためのタイミング図である。
【図６】本発明の第２実施例による第１及び第２ゲート駆動部の駆動方式を説明するためのタイミング図である。
【図７】本発明の第２実施例による表示装置の平面図である。
【符号の説明】
【００６５】
１００、４００    第１表示パネル
１２０    駆動部
１２１    制御部
１２３    メモリ
１２５    電圧発生部
１２７    ゲート制御部
１２９    ソース駆動部
１４０、４２０    第１ゲート駆動部
１５０、４５０    第１可撓性回路基板
２００、５００    第２表示パネル
２４０、４４０    第２ゲート駆動部
２５０、５５０    第２可撓性回路基板
５２０    第３ゲート駆動部
５４０    第４ゲート駆動部
【図１】
0005805919.tif 000002
【図２】
0005805919.tif 000003
【図３】
0005805919.tif 000004
【図４】
0005805919.tif 000005
【図５】
0005805919.tif 000006
【図６】
0005805919.tif 000007
【図７】
0005805919.tif 000008